(57)【要約】【課題】尿素水タンクの給水口から蓋部材がアダプタと共に容易に離脱され、且つ、尿素水タンクの給水口及びアダプタから蓋部材が容易に離脱され得る尿素水タンクを提供する。【解決手段】蓋部材１０が給水口６及びアダプタ８に装着された状態において、嵌合溝１２ａに係止片４４ａが位置し且つ嵌合溝１２ｃに係止片４４ｂが位置するまで、支柱３０が回転され蓋部材１０が上方へ強制されると、蓋部材１０がアダプタ８と共に給水口６から離脱される。又、蓋部材１０が給水口６及びアダプタ８に装着された状態において、嵌合溝１２ｂに係止片４４ａが位置し且つ嵌合溝１２ｄに係止片４４ｂが位置するまで、支柱３０が回転され蓋部材１０が上方へ強制されると、蓋部材１０が給水口６及びアダプタ８から離脱される。【選択図】図１０
2016017409.tif 000002
【特許請求の範囲】
【請求項１】
筒状の給水口と、該給水口に挿嵌されるアダプタと、該給水口及び該アダプタに装着される蓋部材とを具備する尿素水タンクにして、
該給水口の内周面には、上端から軸方向に延在する少なくとも一対の嵌合溝と、該一対の嵌合溝の一方から周方向に延出して該一対の嵌合溝の他方を跨って延在する係止溝とが形成されており、
該アダプタは筒状挿嵌壁を含み、該挿嵌壁の外周面には径方向外方に突出した少なくとも一対の嵌合片が形成されており、該アダプタは該一対の嵌合片の一方が該一対の嵌合溝の一方に嵌合し該一対の嵌合片の他方が該一対の嵌合溝の他方に嵌合して該給水口に挿嵌され且つ該係止溝の下方に位置し、
該挿嵌壁の内周面には、上端から軸方向に延在する少なくとも１個の切欠きと、該切欠きを跨って周方向に延在する係合溝とが形成されており、該切欠きは該一対の嵌合片の他方と周方向の位置が整合しており、
該蓋部材は、天面壁及び該天面壁の周縁から垂下する筒状側壁を含む蓋本体と、該天面壁から下方に延在する支柱とを具備し、
該支柱には、外周面から径方向外方に突出した少なくとも１個の係止片と、外周面から径方向外方に突出し且つ該係止片より下方に位置する少なくとも１個の係合片とが形成されており、該係止片と該係合片とは周方向の位置が整合しており、
該蓋部材は該係止片が該給水口の該係止溝に係止され且つ該係合片が該アダプタの該係合溝に係合することによって該給水口及び該アダプタに装着され、
該蓋部材が該給水口及び該アダプタに装着された状態において、該一対の嵌合溝の一方に該係止片が位置するまで該蓋部材が回転され次いで上方へ強制されると、該蓋部材が該アダプタと共に該給水口から離脱され、
該蓋部材が該給水口及び該アダプタに装着された状態において、該一対の嵌合溝の他方に該係止片が位置するまで該蓋部材が回転され次いで上方へ強制されると、該蓋部材が該給水口及び該アダプタから離脱される、ことを特徴とする尿素水タンク。
【請求項２】
該支柱は該天面壁に回転自在に接続されている、請求項１記載の尿素水タンク。
【請求項３】
該蓋本体の該天面壁には筒状の貫通開口が形成されており、該支柱は円柱状に形成され且つ該貫通開口に回転自在に挿入され、該貫通開口の内周面と該支柱の外周面との間には該貫通開口に対する該支柱の回転を阻止するタンブラが配設されており、
該支柱には上端面から下方に延在する鍵穴が形成され、該鍵穴に対応した鍵が該鍵穴に挿入されると該タンブラによる該支柱の相対回転阻止が解除され、該鍵の回転操作によって該支柱が回転される、請求項２記載の尿素水タンク。
【請求項４】
該蓋本体の該天面壁の底面には下方に突出した少なくとも一対の嵌合突起が形成されており、該蓋部材が該給水口及び該アダプタに装着された状態において、該嵌合突起は該給水口の該嵌合溝に嵌合している、請求項２又は３記載の尿素水タンク。
【請求項５】
該蓋部材と該給水口との間には該給水口に対する該蓋部材の相対回転を阻止する回転阻止手段が配設されており、該回転阻手段に対応した解除手段によって該回転阻止手段による該蓋部材の相対回転阻止が解除される、請求項１記載の尿素水タンク。
【発明の詳細な説明】
【技術分野】
【０００１】
本発明は、筒状の給水口と、給水口に挿嵌されるアダプタと、給水口及びアダプタに装着される蓋部材とを具備する尿素水タンクに関する。
【背景技術】
【０００２】
建設車両、バス及びトラック等の車両には、駆動源としてディーゼルエンジンが多く用いられている。このディーゼルエンジンの排気ガス中には窒素酸化物（ＮＯｘ）等が多く含まれており、ディーゼルエンジンを搭載する車両の多くは排出ガス規制の対象となっている。このため、ディーゼルエンジンを搭載する車両については、排気ガス中の窒素酸化物の量を低減することが要求されている。
【０００３】
排気ガス中の窒素酸化物の量を低減するための技術として、尿素ＳＣＲ（Selective  Catalytic  Reduction）システムが知られている。尿素ＳＣＲシステムは、排気ガス中の窒素酸化物と尿素水とを還元反応させることによって、排気ガス中の窒素酸化物の量を低減するものである。尿素水は、車両に搭載された尿素水タンクに貯留されており、ポンプにより吸引され排気管に接続された尿素水噴射弁から排気管内に噴射される。
【０００４】
窒素酸化物の還元剤としての尿素水については、尿素水給水インタフェースに関する国際規格が存在する（ＩＳＯ２２２４１−４：２００９）。又、国内規格としては、ＩＳＯ２２２４１−４：２００９に基づいて、我が国の実情に合致させた日本工業規格が存在する（ＪＩＳ  Ｋ２２４７−４：２０１３）。
【０００５】
上記の規格には、尿素水給水機に設けられた給水ノズル、給水ノズルが挿入される尿素水タンクの給水口（フィラネック）、給水口に取付けられるアダプタ（インレットアダプタ）及び給水口を閉塞する蓋部材（フィラキャップ）等について記載されている。
【０００６】
又、上記の規格には、給水口に燃料給油ノズルが過誤によって挿入されることを防ぐ観点から、給水ノズルの外径とアダプタの内径とを所定の寸法で製造すべき旨が規定されている。他方、上記の規格には、例えば、建設現場等、上記の規格に基づいて製造された給水ノズル（以下、「専用の給水ノズル」という。）を有する尿素水給水機が設置されていない場所において、上記の規格に基づいて製造されていない給水ノズル（以下、「汎用の給水ノズル」という。）を有する容器等によって、尿素水タンクに尿素水を給水することができるようすべく、アダプタは給水口から離脱自在とすべき旨が規定されている。
【０００７】
ディーゼルエンジンを搭載する車両の製造業者は、尿素ＳＣＲシステムを車両に採用するにあたり、尿素水タンクの給水口、アダプタ及び蓋部材等を規定された寸法で製造することや、専用の給水ノズル及び汎用の給水ノズルの双方を使い分けることができるようにすること等、上記の規格を充足することが望まれている。この点、下記特許文献１には、専用の給水ノズル及び汎用の給水ノズルの双方を使い分けることができる尿素水タンクの給水口の構造が開示されている。
【０００８】
特許文献１に開示された給水口の構造によれば、給水口の内周面の上端側に形成された雌螺子にアダプタの外周面の下端側に形成された雄螺子が螺合することによって、給水口にアダプタが離脱自在に接続されており、アダプタの外周面の上端側に形成された雄螺子に蓋部材の内周面に形成された雌螺子が螺合することによって、アダプタに蓋部材が離脱自在に接続されている。
【先行技術文献】
【特許文献】
【０００９】
【特許文献１】特開２０１０−１２７２０１号公報
【発明の概要】
【発明が解決しようとする課題】
【００１０】
しかし、特許文献１に開示された給水口の構造においては、給水口とアダプタとの接続、及びアダプタと蓋部材との接続の各々が螺合によるものであることから、汎用の給水ノズルによって尿素水を給水する際には、給水口から蓋部材と共にアダプタを離脱させるため、蓋部材と共にアダプタが一体的に回転するようにロック部材によって蓋部材とアダプタとをロックしなければならない。一方、専用の給水ノズルによって尿素水を給水する際には、給水口から蓋部材のみを離脱させるため、蓋部材と共にアダプタが一体的に回転しないようにロック部材による蓋部材とアダプタとのロックを解除しなければならない。従って、特許文献１に開示された給水口の構造においては、給水口を開放する際に、ロック部材によるロック又はロックの解除を行わなければならず、手間がかかる。
【００１１】
本発明は上記事実に鑑みてなされたものであり、その主たる技術的課題は、尿素水タンクの給水口から蓋部材がアダプタと共に容易に離脱され、且つ、尿素水タンクの給水口及びアダプタから蓋部材が容易に離脱され得る尿素水タンクを提供することである。
【課題を解決するための手段】
【００１２】
本発明によれば、上記技術的課題を達成する尿素水タンクとして、筒状の給水口と、該給水口に挿嵌されるアダプタと、該給水口及び該アダプタに装着される蓋部材とを具備する尿素水タンクにして、該給水口の内周面には、上端から軸方向に延在する少なくとも一対の嵌合溝と、該一対の嵌合溝の一方から周方向に延出して該一対の嵌合溝の他方を跨って延在する係止溝とが形成されており、該アダプタは筒状挿嵌壁を含み、該挿嵌壁の外周面には径方向外方に突出した少なくとも一対の嵌合片が形成されており、該アダプタは該一対の嵌合片の一方が該一対の嵌合溝の一方に嵌合し該一対の嵌合片の他方が該一対の嵌合溝の他方に嵌合して該給水口に挿嵌され且つ該係止溝の下方に位置し、該挿嵌壁の内周面には、上端から軸方向に延在する少なくとも１個の切欠きと、該切欠きを跨って周方向に延在する係合溝とが形成されており、該切欠きは該一対の嵌合片の他方と周方向の位置が整合しており、該蓋部材は、天面壁及び該天面壁の周縁から垂下する筒状側壁を含む蓋本体と、該天面壁から下方に延在する支柱とを具備し、該支柱には、外周面から径方向外方に突出した少なくとも１個の係止片と、外周面から径方向外方に突出し且つ該係止片より下方に位置する少なくとも１個の係合片とが形成されており、該係止片と該係合片とは周方向の位置が整合しており、該蓋部材は該係止片が該給水口の該係止溝に係止され且つ該係合片が該アダプタの該係合溝に係合することによって該給水口及び該アダプタに装着され、該蓋部材が該給水口及び該アダプタに装着された状態において、該一対の嵌合溝の一方に該係止片が位置するまで該蓋部材が回転され次いで上方へ強制されると、該蓋部材が該アダプタと共に該給水口から離脱され、該蓋部材が該給水口及び該アダプタに装着された状態において、該一対の嵌合溝の他方に該係止片が位置するまで該蓋部材が回転され次いで上方へ強制されると、該蓋部材が該給水口及び該アダプタから離脱される、ことを特徴とする尿素水タンクが提供される。
【００１３】
好ましくは、該支柱は該天面壁に回転自在に接続されている。該蓋本体の該天面壁には筒状の貫通開口が形成されており、該支柱は円柱状に形成され且つ該貫通開口に回転自在に挿入され、該貫通開口の内周面と該支柱の外周面との間には該貫通開口に対する該支柱の回転を阻止するタンブラが配設されており、該支柱には上端面から下方に延在する鍵穴が形成され、該鍵穴に対応した鍵が該鍵穴に挿入されると該タンブラによる該支柱の相対回転阻止が解除され、該鍵の回転操作によって該支柱が回転されるのが好適である。該蓋本体の該天面壁の底面には下方に突出した少なくとも一対の嵌合突起が形成されており、該蓋部材が該給水口及び該アダプタに装着された状態において、該嵌合突起は該給水口の該嵌合溝に嵌合しているのが好都合である。該蓋部材と該給水口との間には該給水口に対する該蓋部材の相対回転を阻止する回転阻止手段が配設されており、該回転阻手段に対応した解除手段によって該回転阻止手段による該蓋部材の相対回転阻止が解除されるのが好ましい。
【発明の効果】
【００１４】
本発明によって提供される尿素水タンクにおいては、蓋部材が給水口及びアダプタに装着された状態において、一対の嵌合溝の一方に係止片が位置するまで蓋部材が回転されると、係止片と係止溝との係止状態が解除される一方、係合片は切欠きには位置しないため係合片と係合溝との係合状態は保持される。次いで蓋部材が上方へ強制されると、係止片が嵌合溝に沿って上昇する一方、係合片と係合溝との係合状態は保持されるため、蓋部材がアダプタと共に給水口から離脱される。この結果、汎用の給水ノズルにより尿素水タンクに尿素水を給水することができる。
【００１５】
又、本発明に係る尿素水タンクにおいては、蓋部材が給水口及びアダプタに装着された状態において、一対の嵌合溝の他方に係止片が位置するまで蓋部材が回転されると、係止片と係止溝との係止状態が解除され、且つ係合片が切欠きに位置することになるため係合片と係合溝との係合状態が解除される。次いで蓋部材が上方へ強制されると、係止片が嵌合溝に沿って上昇し、且つ係合片が切欠きに沿って上昇するので、蓋部材が給水口及びアダプタから離脱される。この結果、給水口にアダプタが挿嵌された状態で給水口が開放され、専用の給水ノズルにより尿素水タンクに尿素水を給水することができる。
【００１６】
よって、本発明に係る尿素水タンクにおいては、給水口が開放される際に蓋部材の回転角度が調節されることによって、給水口から蓋部材がアダプタと共に容易に離脱され、且つ給水口及びアダプタから蓋部材が容易に離脱され得る。
【図面の簡単な説明】
【００１７】
【図１】本発明の第１の実施形態における尿素水タンクの斜視図。
【図２】給水口の平面図。
【図３】給水口の展開図（内周面）。
【図４】アダプタの平面図。
【図５】アダプタの展開図（内周面）。
【図６】蓋本体の底面図。
【図７】図６中のＡ−Ａ方向からみた蓋本体の断面図。
【図８】支柱の正面図。
【図９】支柱の底面図。
【図１０】給水口にアダプタが挿嵌され、給水口及びアダプタに蓋部材が装着された状態における給水口を正面からみた断面図。
【図１１】図１０中のＢ−Ｂ方向からみた断面図。
【図１２】図１０中のＣ−Ｃ方向からみた断面図。
【図１３】給水口にアダプタが挿嵌され、給水口及びアダプタに蓋部材が装着された状態における給水口の展開図（内周面）。
【図１４】本発明の第２の実施形態における尿素水タンクの給水口にアダプタが挿嵌され、給水口及びアダプタに蓋部材が装着された状態における給水口を正面からみた断面図。
【図１５】上部支柱の底面図。
【発明を実施するための形態】
【００１８】
以下、本発明に係る尿素水タンクの第１の実施形態について添付図面を参照しつつ詳細に説明する。図１を参照して説明する。全体を番号２で示す尿素水タンクは、尿素水を貯留するタンク本体４と、給水ノズルが挿入される給水口６と、給水口６に挿嵌されるアダプタ８と、給水口６及びアダプタ８に装着される蓋部材１０とを具備している。
【００１９】
タンク本体４は、適宜の樹脂材料又はステンレス鋼板から、全体として直方体状に形成されている。タンク本体４の上面は、実質上水平に延在する水平面４ａと、水平面４ａから一側の側面に向かって下方に傾斜して延在する傾斜面４ｂとを有している。傾斜面４ｂには、給水口６が形成されている。給水口６は、傾斜面４ｂと実質上垂直に、タンク本体４の外方に向かって円筒状に延びている。
【００２０】
図２及び図３を参照して説明する。給水口６の内周面には、上端から軸方向に延在する一対の嵌合溝１２ａ，１２ｂ、及び嵌合溝１２ａ，１２ｂと周方向中心Ｏを挟んで対向する位置に、上端から軸方向に延在する一対の嵌合溝１２ｃ，１２ｄが形成されている。嵌合溝１２ａと嵌合溝１２ｂとは、周方向に４５度離隔している。又、嵌合溝１２ｃと嵌合溝１２ｄとは、周方向に４５度離隔している。
【００２１】
又、給水口６の内周面には、嵌合溝１２ａから周方向片側に延出して嵌合溝１２ｂを跨って延在する円弧状の係止溝１４ａ、及び嵌合溝１２ｃから周方向片側に延出して嵌合溝１２ｄを跨って延在する円弧状の係止溝１４ｂが形成されている。係止溝１４ａの周方向の基端（嵌合溝１２ａ側）と係止溝１４ｂの周方向の先端との間は、扇形状の非溝部となっている。又、係止溝１４ｂの周方向の基端（嵌合溝１２ｃ側）と係止溝１４ａの周方向の先端との間は、扇形状の非溝部となっている。
【００２２】
係止溝１４ａは、後述する係止片４４ａが嵌合溝１２ａから周方向に上方からみて時計回りに１３５度回転することができるように形成されている。係止溝１４ａの上面は、嵌合溝１２ａと嵌合溝１２ｂとの間においては各嵌合溝１２ａ，１２ｂと垂直に延びており、嵌合溝１２ｂから所定の周方向寸法Ｌの間においては周方向の先端側に向かって下方に傾斜して延び、次いで周方向の先端まで各嵌合溝１２ａ，１２ｂと垂直に延びている。一方、係止溝１４ａの底面は、周方向の基端から先端まで各嵌合溝１２ａ，１２ｂと垂直に延びている。
【００２３】
係止溝１４ｂは、後述する係止片４４ｂが嵌合溝１２ｃから周方向に上方からみて時計回りに１３５度回転することができるように形成されている。係止溝１４ｂの上面は、嵌合溝１２ｃと嵌合溝１２ｄとの間においては各嵌合溝１２ｃ，１２ｄと垂直に延びており、嵌合溝１２ｄから所定の周方向寸法Ｌの間においては周方向の先端側に向かって下方に傾斜して延び、次いで周方向の先端まで各嵌合溝１２ｃ，１２ｄと垂直に延びている。一方、係止溝１４ｂの底面は、周方向の基端から先端まで各嵌合溝１２ｃ，１２ｄと垂直に延びている。
【００２４】
図４及び図５を参照して説明する。アダプタ８は、給水口６に燃料給油ノズルが過誤によって挿入されることを防ぐため、給水口６に離脱自在に挿嵌されるものである。アダプタ８は、適宜の樹脂材料等から形成される円筒状の挿嵌壁１６と、専用の給水ノズルが有する自動停止機能に対応する環状のマグネットリング１８とを含んでいる。
【００２５】
挿嵌壁１６は、その外径が給水口６の内径に対応して形成されており、その内径が専用の給水ノズルに対応して形成されている。挿嵌壁１６の外周面には、径方向外方に突出して上端から軸方向に延在する一対の嵌合片２０ａ，２０ｂ、及び各嵌合片２０ａ，２０ｂと周方向中心Ｏを挟んで対向する位置に、径方向外方に突出して上端から軸方向に延在する一対の嵌合片２０ｃ，２０ｄが形成されている。嵌合片２０ａと嵌合片２０ｂとは、周方向に４５度離隔している。又、嵌合片２０ｃと嵌合片２０ｄとは、周方向に４５度離隔している。即ち、各嵌合片２０ａ，２０ｂ，２０ｃ，２０ｄは、給水口６の各嵌合溝１２ａ，１２ｂ，１２ｃ，１２ｄに対応して形成されている。
【００２６】
挿嵌壁１６の内周面には、上端から軸方向に延在する切欠き２２ａ、及び切欠き２２ａと周方向中心Ｏを挟んで対向する位置に、上端から軸方向に延在する切欠き２２ｂが形成されている。切欠き２２ａは、嵌合片２０ｂと周方向の位置が整合している。又、切欠き２２ｂは、嵌合片２０ｄと周方向の位置が整合している。
【００２７】
又、挿嵌壁１６の内周面には、切欠き２２ａの下端側を跨って周方向に延在する円弧状の係合溝２４ａ、及び切欠き２２ｂの下端側を跨って延在する円弧状の係合溝２４ｂが形成されている。係合溝２４ａの周方向の基端と係合溝２４ｂの周方向の先端との間は、扇形状の非溝部となっている。又、係合溝２４ｂの周方向の基端と係合溝２４ａの周方向の先端との間は、扇形状の非溝部となっている。
【００２８】
係合溝２４ａは、後述する係合片４６ａが切欠き２２ａから周方向に上方からみて時計回りに９０度回転することができ、且つ係合片４６ａが切欠き２２ａから周方向に上方からみて反時計回りに４５度回転することができるように形成されている。係合溝２４ａの上面には、下方に突出した脱落防止突起２６ａが形成されている。脱落防止突起２６ａは、切欠き２２ａに近接しており、周方向の基端側に形成されている。
【００２９】
係合溝２４ｂは、後述する係合片４６ｂが切欠き２２ｂから周方向に上方からみて時計回りに９０度回転することができ、且つ係合片４６ｂが切欠き２２ｂから周方向に上方からみて反時計回りに４５度回転することができるように形成されている。係合溝２４ｂの上面には、下方に突出した脱落防止突起２６ｂが形成されている。脱落防止突起２６ｂは、切欠き２２ｂに近接しており、周方向の基端側に形成されている。
【００３０】
図６乃至図１０を参照して説明する。蓋部材１０は、給水口６を閉塞する蓋本体２８と、蓋本体２８に回転自在に接続された支柱３０とを具備している。
【００３１】
図６及び図７に示すように、蓋本体２８は、天面壁３２及び天面壁３２の外周縁から垂下する筒状側壁３４を含んでいる。天面壁３２の中央部には、円筒状の貫通開口３２ａが形成されている。天面壁３２の底面の外周縁側には、軸方向に延在する一対の嵌合突起３６ａ，３６ｂ、及び各嵌合突起３６ａ，３６ｂと周方向中心Ｏを挟んで対向する位置に、軸方向に延在する一対の嵌合突起３６ｃ，３６ｄが形成されている。嵌合突起３６ａと嵌合突起３６ｂとは、周方向に４５度離隔している。又、嵌合突起３６ｃと嵌合突起３６ｄとは、周方向に４５度離隔している。即ち、各嵌合突起３６ａ，３６ｂ，３６ｃ，３６ｄは、給水口６の各嵌合溝１２ａ，１２ｂ，１２ｃ，１２ｄに対応して形成されている。
【００３２】
又、天面壁３２の底面の外周縁側には、弾性を有する樹脂材料から形成されたパッキン３８が配設されている。パッキン３８は、各嵌合突起３６ａ，３６ｂ，３６ｃ，３６ｄより径方向外方の位置している。パッキン３８は、蓋部材１０が給水口６及びアダプタ８に装着された際、給水口６の上端面に当接され、蓋部材１０と給水口６との水密性を確保するものである。
【００３３】
図８及び図９に示すように、支柱３０は、鋼材から円柱状に形成され、上端面から下方に延在する鍵穴４０が形成されている。支柱３０の外周面には、径方向外方に突出して周方向に延在する環状の鍔部４２が形成されている。鍔部４２の外径は、給水口６の内径に対応して形成されている。鍔部４２の外周縁には、径方向外方に突出した係止片４４ａ、及び係止片４４ａと周方向中心Ｏを挟んで対向する位置に、径方向外方に突出した係止片４４ｂが形成されている。又、支柱３０の外周面には、径方向外方に突出した係合片４６ａ、及び係合片４６ａと周方向中心Ｏを挟んで対向する位置に、径方向外方に突出した係合片４６ｂが形成されている。
【００３４】
各係合片４６ａ，４６ｂは、各係止片４４ａ，４４ｂよりも下方に位置している。係止片４４ａと係合片４６ａとは、周方向の位置が整合している。又、係止片４４ｂと係合片４６ｂとは、周方向の位置が整合している。係止片４４ａの径方向先端から係止片４４ｂの径方向先端までの径方向の寸法は、給水口６の内周面のうち各係止溝１４ａ，１４ｂが形成されている部分の内径に対応している。又、係合片４６ａの径方向の先端から係合片４６ｂの径方向の先端までの径方向の寸法は、挿嵌壁１６の内周面のうち各係合溝２４ａ，２４ｂが形成されている部分の内径に対応している。
【００３５】
図１０に示すように、支柱３０は、天面壁３２の貫通開口３２ａに回転自在に挿入されているが、貫通開口３２ａの内周面と支柱３０の外周面との間には、貫通開口３２ａに対する支柱３０の回転を阻止するタンブラ４８が配設されている。タンブラ４８による支柱３０の相対回転阻止は、鍵穴４０に対応した専用の鍵５０が鍵穴４０に挿入されると解除される。又、支柱３０は、鍵穴４０に挿入された鍵５０の回転操作がなされると、これに応じて回転するようになっている。このように蓋部材１０は、支柱３０、天面壁３２の貫通開口３２ａ、タンブラ４８からシリンダ錠をなしている。
【００３６】
給水口６にアダプタ８が挿嵌され、給水口６及びアダプタ８に蓋部材１０が装着された状態について説明する。先ずアダプタ８については、図１１に示すように、各嵌合片２０ａ，２０ｂ，２０ｃ，２０ｄが給水口６の各嵌合溝１２ａ，１２ｂ，１２ｃ，１２ｄに嵌合して給水口６に挿嵌されている。又、図１０に示すように、アダプタ８は、給水口６に挿嵌された状態において、その上端面が給水口６の各係止溝１４ａ，１４ｂの下方に位置する。
【００３７】
次に、蓋部材１０については、図１３に示すように、蓋本体２８の天面壁３２に形成された各嵌合突起３６ａ，３６ｂが各嵌合溝１２ａ，１２ｂに嵌合している。尚、図示していないが、各嵌合突起３６ｃ，３６ｄも、各嵌合溝１２ｃ，１２ｄに嵌合している。又、図１２及び図１３に示すように、支柱３０の各係止片４４ａ，４４ｂが各係止溝１４ａ，１４ｂに係止されている。ここで、係止片４４ａは、係止溝１４ａの周方向の先端に当接している。一方、係止片４４ｂは、係止溝１４ｂの周方向の先端に当接している。更に、図１１及び図１３に示すように、支柱３０の各係合片４６ａ，４６ｂが各係合溝２４ａ，２４ｂに係合している。ここで、係合片４６ａは、係合溝２４ａの周方向の先端に当接している。一方、係合片４６ｂは、係合溝２４ｂの周方向の先端に当接している。
【００３８】
蓋部材１０がアダプタ８と共に給水口６から離脱される際の操作について説明する。蓋部材１０が給水口６及びアダプタ８に装着された状態において、鍵穴４０に鍵５０が挿入されると、タンブラ４８による支柱３０の相対回転阻止が解除される。
【００３９】
そして、鍵５０に対して、上方からみて反時計回りに１３５度の回転操作がなされると、これに応じて支柱３０も上方からみて反時計回りに１３５度回転する。そうすると、係止片４４ａは、図１２及び図１３を参照することによって理解されるとおり、係止溝１４ａの周方向の基端に当接して嵌合溝１２ａに位置する。又、係止片４４ｂは、係止溝１４ｂの周方向の基端に当接して嵌合溝１２ｃに位置する。従って、各係止片４４ａ，４４ｂと各係止溝１４ａ，１４ｂとの係止状態は解除される。一方、係合片４６ａは、図１１及び図１３を参照することによって理解されるとおり、切欠き２２ａを通過して係合溝２４ａの周方向の基端に当接する。又、係合片４６ｂは、切欠き２２ｂを通過して係合溝２４ｂの周方向の基端に当接する。従って、各係合片４６ａ，４６ｂと各係合溝２４ａ，２４ｂとの係合状態は保持される。
【００４０】
その後、蓋部材１０が上方へ強制されると、各係止片４４ａ，４４ｂが各嵌合溝１２ａ，１２ｃに沿って上昇する一方、各係合片４６ａ，４６ｂと各係合溝２４ａ，２４ｂとの係合状態が保持されているため、蓋部材１０がアダプタ８と共に給水口６から離脱される。この結果、汎用の給水ノズルにより尿素水タンク２に尿素水を給水することができる。
【００４１】
又、各係合片４６ａ，４６ｂと各係合溝２４ａ，２４ｂとが係合した状態で蓋部材１０がアダプタ８と共に離脱されるため、アダプタ８が給水口６に挿嵌されず蓋部材１０のみが給水口６に装着されるといったような事態、即ち、アダプタ８の挿嵌忘れ、が生ずることが防止され得る。同時に、アダプタ８の紛失も防止され得る。更に、アダプタ８の各係合溝２４ａ，２４ｂには、各切欠き２２ａ，２２ｂに近接して周方向の基端側の各々に脱落防止突起２６ａ，２６ｂが形成されているため、蓋部材１０と共に給水口６から離脱されたアダプタ８は、蓋部材１０から脱落することがないようになっている。
【００４２】
次に、蓋部材１０が給水口６及びアダプタ８から離脱される際の操作について説明する。蓋部材１０が給水口６及びアダプタ８に装着された状態において、鍵穴４０に鍵５０が挿入されると、上述したとおり、タンブラ４８による支柱３０の相対回転阻止が解除される。
【００４３】
そして、鍵５０に対して、上方からみて反時計回りに９０度の回転操作がなされると、これに応じて支柱３０も上方からみて反時計回りに９０度回転する。そうすると、係止片４４ａは、図１２及び図１３を参照することによって理解されるとおり、嵌合溝１２ｂに位置する。又、係止片４４ｂは、嵌合溝１２ｄに位置する。従って、各係止片４４ａ，４４ｂと各係止溝１４ａ，１４ｂとの係止状態は解除される。一方、係合片４６ａは、図１１及び図１３を参照することによって理解されるとおり、切欠き２２ａに位置する。又、係合片４６ｂは、切欠き２２ｂに位置する。従って、各係合片４６ａ，４６ｂと各係合溝２４ａ，２４ｂとの係合状態も解除される。
【００４４】
その後、蓋部材１０が上方へ強制されると、各係止片４４ａ，４４ｂが各嵌合溝１２ｂ，１２ｄに沿って上昇し、且つ、各係合片４６ａ，４６ｂが各切欠き２２ａ，２２ｂに沿って上昇するので、蓋部材１０が給水口６及びアダプタ８から離脱される。この結果、給水口６にアダプタ８が挿嵌された状態で給水口６が開放され、専用の給水ノズルにより尿素水タンク２に尿素水を給水することができる。
【００４５】
以上のように、第１の実施形態の尿素水タンク２においては、給水口６が開放される際に支柱３０の回転角度が調節されることによって、給水口６から蓋部材１０がアダプタ８と共に容易に離脱され、且つ給水口６及びアダプタ８から蓋部材１０が容易に離脱され得る。
【００４６】
又、第１の実施形態の尿素水タンク２は、蓋部材１０が支柱３０、天面壁３２の貫通開口３２ａ、タンブラ４８からシリンダ錠をなしているため、ＩＳＯ２２２４１−４：２００９又はＪＩＳ  Ｋ２２４７−４：２０１３にいう「インレットアダプタ（アダプタ８）を取付けたフィラネック（給水口６）は、車両製造業者又は許可された者が、インレットアダプタ（アダプタ８）を取付け又は取外し可能な構造とする。」の規定を充足することができる。
【００４７】
更に、第１の実施形態の尿素水タンク２は、蓋本体２８の天面壁３２の底面に形成された各嵌合突起３６ａ，３６ｂ，３６ｃ，３６ｄが給水口６の各嵌合溝１２ａ，１２ｂ，１２ｃ，１２ｄと嵌合するようになっているため、蓋部材１０が給水口６及びアダプタ８に装着される際に、蓋部材１０の周方向位置が誤って装着されることがない。
【００４８】
尚、第１の実施形態においては、給水口６から蓋部材１０がアダプタ８と共に離脱される際の支柱３０の回転角度を装着状態から１３５度として、及び給水口６及びアダプタ８から蓋部材１０が離脱される際の支柱３０の回転角度を装着状態から９０度として説明を行ったが、各々の回転角度はこれに限定されるものではなく、任意に設定され得る。
【００４９】
又、第１の実施形態では、給水口の嵌合溝が二対、係止溝が２個、挿嵌壁の嵌合片が二対、切欠き及び係合溝が各々２個、蓋部材の嵌合突起が二対、支柱の係止片及び係合片が各々２個として説明を行ったが、給水口の嵌合溝が一対、係止溝が１個、挿嵌壁の嵌合片が一対、切欠き及び係合溝が各々１個、蓋本体の嵌合突起が一対、支柱の係止片及び係合片が各々１個であってもよい。例えば、給水口の嵌合溝については１２ａ，１２ｂの一対、係止溝については１４ａの１個、挿嵌壁の嵌合片については２０ａ，２０ｂの一対、切欠きについては２２ａの１個、係合溝については２４ａの１個、蓋本体の嵌合突起については３６ａ，３６ｂの一対、支柱の係止片については４４ａの１個、係合片については４６ａの１個のような場合である。
【００５０】
本発明に係る尿素水タンクの第２の実施形態について図１４及び図１５を参照しつつ説明する。第２の実施形態では、上述した第１の実施形態と同一の構成要素に同一符号を付し、その説明を省略する。
【００５１】
図１４に示すように、蓋部材１００は、貫通開口１０２ａが形成された天面壁１０２及び筒状側壁１０４を有する蓋本体１０６と、天面壁１０２に相対回転自在に接続された上部支柱１０８と、天面壁１０２に締結された下部支柱１１０とから構成されている。
【００５２】
上部支柱１０８は、上端面から下方に延在する鍵穴１１２と、下端側の外周面から径方向外方に突出したフランジ部１１４とが形成されている。フランジ部１１４には、図１５に示すように、軸方向に貫通した一対の円弧状切欠き１１６ａ，１１６ｂと、外周面から径方向外方に突出した４個の回り止め片１１８ａ，１１８ｂ，１１８ｃ，１１８ｄとが形成されている。
【００５３】
蓋部材１００が給水口６及びアダプタ８に装着された状態において、各回り止め片１１８ａ，１１８ｂ，１１８ｃ，１１８ｄが給水口６の各嵌合溝１２ａ，１２ｂ，１２ｃ，１２ｄに嵌合することによって、上部支柱１０８の周方向への回転が阻止されている。又、天面壁１０２の貫通開口１０２ａの内周面と上部支柱１０８の外周面との間にはタンブラ４８が配設され、天面壁１０２及び上部支柱１０８の相対回転が阻止されている。
【００５４】
下部支柱１１０は、上端側の外周面から径方向外方に突出した鍔部１２０、一対の係止片１２２ａ，１２２ｂ及び一対の係合片１２４ａ，１２４ｂが形成されている。又、天面壁１０２の底面には雌螺子が形成されており、下部支柱１１０の鍔部１２０に円形孔が形成されており、蓋本体１０６、上部支柱１０８及び下部支柱１１０は、ボルト１２６，１２６によって締結されている。ここで、各円弧状切欠き１１６ａ，１１６ｂには、フランジ部１１４の厚さ寸法よりも軸方向の寸法が大きい円筒状のスペーサー１２８，１２８が介在されている。
【００５５】
蓋部材１００が給水口６及びアダプタ８に装着された状態において、鍵穴１１２に専用の鍵５０が挿入されると、タンブラ４８による蓋本体１０６及び上部支柱１０８の相対回転阻止が解除される。そして、蓋本体１０６に対して、上方からみて反時計回りに１３５度の回転操作がなされると、これに応じて下部支柱１１０も上方からみて反時計回りに１３５度回転する。そうすると、各係止片１２２ａ，１２２ｂと各係止溝１４ａ，１４ｂとの係止状態は解除されるが、各係合片１２４ａ，１２４ｂと各係合溝２４ａ，２４ｂとの係合状態は保持される。その後、蓋部材１００が上方へ強制されると、各係止片１２２ａ，１２２ｂは各嵌合溝１２ａ，１２ｃに沿って上昇するが、各係合片１２４ａ，１２４ｂと各係合溝２４ａ，２４ｂとの係合状態が保持されているため、蓋部材１００がアダプタ８と共に給水口６から離脱される。この結果、汎用の給水ノズルにより尿素水タンク２に尿素水を給水することができる。
【００５６】
一方、タンブラ４８による蓋本体１０６及び上部支柱１０８の相対回転阻止が解除された後、蓋本体１０６に対して、上方からみて反時計回りに９０度の回転操作がなされると、これに応じて下部支柱１１０も上方からみて反時計回りに９０度回転する。そうすると、各係止片１２２ａ，１２２ｂと各係止溝１４ａ，１４ｂとの係止状態が解除され、各係合片１２４ａ，１２４ｂと各係合溝２４ａ，２４ｂとの係合状態も解除される。その後、蓋部材１００が上方へ強制されると、各係止片１２２ａ，１２２ｂが各嵌合溝１２ｂ，１２ｄに沿って上昇し、且つ、各係合片１２４ａ，１２４ｂが各切欠き２２ａ，２２ｂに沿って上昇するので、蓋部材１００が給水口６及びアダプタ８から離脱される。この結果、給水口６にアダプタ８が挿嵌された状態で給水口６が開放され、専用の給水ノズルにより尿素水タンク２に尿素水を給水することができる。
【００５７】
以上のように、第２の実施形態の尿素水タンクにおいては、給水口６が開放される際に蓋本体１０６の回転角度が調節されることによって、給水口６から蓋部材１００がアダプタ８と共に容易に離脱され、且つ給水口６及びアダプタ８から蓋部材１００が容易に離脱され得る。
【００５８】
尚、第２の実施形態においては、蓋部材１００が蓋本体１０６、上部支柱１０８及び下部支柱１１０が別体により構成されていることについて説明を行ったが、蓋部材は蓋本体、上部支柱及び下部支柱が一体的に構成されていてもよい。又、第２の実施形態においては、給水口に対する蓋部材の相対回転を阻止する回転阻止手段は、上記のような上部支柱の回り止め片及びシリンダ錠から構成されるものに限られない。例えば、蓋部材と給水口との間に閂及び南京錠が配設されていることによって、給水口に対する蓋部材の相対回転が阻止されていてもよい。この場合には、南京錠に対応した鍵の解除操作によって、給水口に対する蓋部材の相対回転が解除されることとなる。
【符号の説明】
【００５９】
２：尿素水タンク
６：給水口
８：アダプタ
１０：蓋部材
１２ａ，１２ｂ，１２ｃ，１２ｄ：嵌合溝
１４ａ，１４ｂ：係止溝
１６：挿嵌壁
２０ａ，２０ｂ，２０ｃ，２０ｄ：嵌合片
２２ａ，２２ｂ：切欠き
２４ａ，２４ｂ：係合溝
２８：蓋本体
３０：支柱
３２：天面壁
３２ａ：貫通開口
３４：側壁
３６ａ，３６ｂ，３６ｃ，３６ｄ：嵌合突起
４０：鍵穴
４４ａ，４４ｂ：係止片
４６ａ，４６ｂ：係合片
４８：タンブラ
５０：鍵
【図１】
2016017409.tif 000003
【図２】
2016017409.tif 000004
【図３】
2016017409.tif 000005
【図４】
2016017409.tif 000006
【図５】
2016017409.tif 000007
【図６】
2016017409.tif 000008
【図７】
2016017409.tif 000009
【図８】
2016017409.tif 000010
【図９】
2016017409.tif 000011
【図１０】
2016017409.tif 000012
【図１１】
2016017409.tif 000013
【図１２】
2016017409.tif 000014
【図１３】
2016017409.tif 000015
【図１４】
2016017409.tif 000016
【図１５】
2016017409.tif 000017